(57)【要約】【課題】レンズ鏡筒の大型化を回避しつつ、バリア羽根の脱落を防止することが可能なレンズ鏡筒およびこれを備えた撮像装置を提供する。【解決手段】レンズ鏡筒１０は、１群レンズ枠２９、回転軸３０、複数のバリア羽根２３ａ〜２６ｂ、環状のバリア摺動枠２８、環状の固定枠２７を備えている。複数のバリア羽根２３ａ〜２６ｂは、回転軸３０を中心に回動し、撮影状態において第１レンズＬ１の表面を露出させる開状態と、沈胴状態において第１レンズＬ１の表面を覆う閉状態とを切り替える。環状のバリア摺動枠２８は、１群レンズ枠２９の被写体側に配置され、１群レンズ枠２９に対して光軸を中心に相対回転すると複数のバリア羽根２３ａ〜２６ｂを回動させる。固定枠２７は、複数のバリア羽根２３ａ〜２６ｂとバリア摺動枠２８との間において１群レンズ枠２９に対して固定配置され、複数のバリア羽根２３ａ〜２６ｂを被写体とは反対側から支持する。【選択図】図４
2019148792.tif 000002
【特許請求の範囲】
【請求項１】
光軸方向において被写体側へ移動した撮影状態と、複数のレンズの少なくとも一部を沈胴させた沈胴状態とを有するレンズ鏡筒であって、
前記複数のレンズのうち最も被写体側に配置された第１レンズと、前記第１レンズを保持する円筒状の本体部とを有する第１レンズ枠と、
前記第１レンズ枠の径方向外周部付近において略光軸方向に沿って配置された回転軸と、
前記回転軸を中心に回動し、前記撮影状態において前記第１レンズの表面を露出させる開状態と、前記沈胴状態において前記第１レンズの表面を覆う閉状態とを切り替える複数のバリア羽根と、
前記第１レンズ枠の被写体側に配置されており、前記第１レンズ枠に対して光軸を中心に相対回転すると前記複数のバリア羽根を回動させる環状のバリア摺動枠と、
前記複数のバリア羽根と前記バリア摺動枠との間において前記第１レンズ枠に対して固定配置されており、前記複数のバリア羽根を前記被写体とは反対側から支持する環状の固定枠と、
を備え、
前記複数のバリア羽根は、
前記開状態では前記第１レンズ枠における端部において前記光軸方向において互いに重なるように配置され、前記開状態から前記沈胴状態へ移行する際に前記光軸に向かって互いに連動して回動する複数のバリア羽根を含む第１バリア羽根群と、
前記第１レンズ枠における前記第１バリア羽根群に対して前記光軸を中心に対向する位置に配置されており、前記開状態では前記第１レンズ枠における端部において前記光軸方向において互いに重なるように配置され、前記開状態から前記沈胴状態へ移行する際に前記光軸に向かって互いに連動して回動する複数のバリア羽根を含む第２バリア羽根群と、
前記第１バリア羽根群および前記第２バリア羽根群のそれぞれに含まれる前記バリア羽根に設けられており、前記開状態から前記沈胴状態へ移行する際に、前記光軸方向において隣接するバリア羽根の一部を係止する第１係止部と、前記沈胴状態から前記開状態へ移行する際に、前記光軸方向において隣接するバリア羽根の一部を係止する第２係止部と、
を有している、
レンズ鏡筒。
【請求項２】
前記バリア羽根は、前記沈胴状態において前記第１レンズの表面を覆う平面部と、前記平面部に交差する側面部とを有しており、
前記第１係止部は、前記バリア羽根における前記光軸に近い側の前記側面の近傍に設けられている、
請求項１に記載のレンズ鏡筒。
【請求項３】
前記バリア羽根は、前記沈胴状態において前記第１レンズの表面を覆う平面部と、前記平面部に交差する側面部とを有しており、
前記第２係止部は、前記バリア羽根における前記光軸から離間した側の前記側面の近傍に設けられている、
請求項１または２に記載のレンズ鏡筒。
【請求項４】
前記第１係止部は、前記第２係止部よりも前記回転軸に近い位置に配置されている、
請求項１から３のいずれか１項に記載のレンズ鏡筒。
【請求項５】
前記第１バリア羽根群および前記第２バリア羽根群は、それぞれ、少なくとも４枚以上の前記バリア羽根を含む、
請求項１から４のいずれか１項に記載のレンズ鏡筒。
【請求項６】
前記固定枠は、略四角形の開口部を有している、
請求項１に記載のレンズ鏡筒。
【請求項７】
前記回転軸は、前記固定枠の略四角形の前記開口部の外周側に設けられている、
請求項６に記載のレンズ鏡筒。
【請求項８】
前記回転軸は、前記第１レンズ枠の前記被写体側の端面に設けられている、
請求項１から７のいずれか１項に記載のレンズ鏡筒。
【請求項９】
前記第１レンズ枠の内周面側に配置されており、前記光軸方向において移動する直進枠を、さらに備え、
前記バリア摺動枠は、前記直進枠が前記光軸方向において移動すると、前記直進枠の一部に当接して回転する、
請求項１から８のいずれか１項に記載のレンズ鏡筒。
【請求項１０】
前記バリア摺動枠は、前記第１レンズ枠の内周面側において、前記光軸方向とは反対側へ突出し、前記直進枠の一部に当接する当接部を有している、
請求項９に記載のレンズ鏡筒。
【請求項１１】
前記当接部は、前記光軸方向に対して斜めに形成されたテーパ部を有し、
前記直進枠の一部は、前記テーパ部に対して当接しながら前記光軸方向に移動する、
請求項１０に記載のレンズ鏡筒。
【請求項１２】
前記複数のバリア羽根は、略フラットな板状の部材である、
請求項１から１１のいずれか１項に記載のレンズ鏡筒。
【請求項１３】
前記複数のバリア羽根は、全て金属製である、
請求項１から１２のいずれか１項に記載のレンズ鏡筒。
【請求項１４】
請求項１から１３のいずれか１項に記載のレンズ鏡筒を備えた撮像装置。
【発明の詳細な説明】
【技術分野】
【０００１】
本開示は、デジタルカメラ等の撮像装置に取り付けられるレンズ鏡筒およびこれを備えた撮像装置に関する。
【背景技術】
【０００２】
デジタルカメラ等の撮像装置には、複数のレンズを含むレンズ鏡筒が取り付けられている。
そして、レンズ鏡筒における最も被写体側に配置されたレンズを保護するために、複数のバリア羽根を摺動させるバリア機構が設けられている。
【０００３】
例えば、特許文献１には、バリア機構に含まれる複数のバリア羽根のうち、最も内径側に配置されたバリア羽根を段差付きの形状とすることで、レンズ鏡筒の大型化を招くことなく、閉状態において被写体側から受ける負荷をバランスよく受け止めることが可能なレンズ鏡筒について開示されている。
【先行技術文献】
【特許文献】
【０００４】
【特許文献１】特開２０１７−１２０３１２号公報
【発明の概要】
【発明が解決しようとする課題】
【０００５】
しかしながら、上記従来のレンズ鏡筒では、以下に示すような問題点を有している。
すなわち、上記公報に開示されたレンズ鏡筒では、複数のバリア羽根のうち、最も内径側に配置されるバリア羽根を段差付きの複雑な形状にすることで上記の効果を得るように構成されている。
【０００６】
しかし、段差付きの複雑な形状のバリア羽根を用いた場合には、光軸方向におけるバリア羽根の厚みが大きくなるため、レンズ鏡筒の光軸方向におけるサイズが大型化するおそれがある。
【０００７】
さらに、近年のレンズ鏡筒の大口径化に伴ってバリア羽根の枚数を増やした構成では、バリア機構によって覆われる開口部に対する鏡筒の外径を小さくすることができるものの、閉状態においてバリア羽根がバリア摺動枠から脱落するおそれがある。
【０００８】
本開示の課題は、レンズ鏡筒の大型化を回避しつつ、バリア羽根の脱落を防止することが可能なレンズ鏡筒およびこれを備えた撮像装置を提供することにある。
【課題を解決するための手段】
【０００９】
本開示に係るレンズ鏡筒は、光軸方向において被写体側へ移動した撮影状態と、複数のレンズの少なくとも一部を沈胴させた沈胴状態とを有するレンズ鏡筒であって、第１レンズ枠と、回転軸と、複数のバリア羽根と、環状のバリア摺動枠と、環状の固定枠と、を備えている。第１レンズ枠は、複数のレンズのうち最も被写体側に配置された第１レンズと、第１レンズを保持する円筒状の本体部とを有する。回転軸は、第１レンズ枠の径方向外周部付近において略光軸方向に沿って配置されている。複数のバリア羽根は、回転軸を中心に回動し、撮影状態において第１レンズの表面を露出させる開状態と、沈胴状態において第１レンズの表面を覆う閉状態とを切り替える。環状のバリア摺動枠は、第１レンズ枠の被写体側に配置されており、第１レンズ枠に対して光軸を中心に相対回転すると複数のバリア羽根を回動させる。環状の固定枠は、複数のバリア羽根とバリア摺動枠との間において第１レンズ枠に対して固定配置されており、複数のバリア羽根を被写体とは反対側から支持する。複数のバリア羽根は、第１バリア羽根群と、第２バリア羽根群と、第１係止部および第２係止部とを有している。第１バリア羽根群は、開状態では第１レンズ枠における端部において光軸方向において互いに重なるように配置され、開状態から沈胴状態へ移行する際に光軸に向かって第１レンズ枠の中心付近まで互いに連動して回動する複数のバリア羽根を含む。第２バリア羽根群は、第１レンズ枠における第１バリア羽根群に対して光軸を中心に対向する位置に配置されており、開状態では第１レンズ枠における端部において光軸方向において互いに重なるように配置され、開状態から沈胴状態へ移行する際に光軸に向かって互いに連動して回動する複数のバリア羽根を含む。第１係止部および第２係止部は、第１バリア羽根群および第２バリア羽根群のそれぞれに含まれる少なくとも１つのバリア羽根に設けられている。第１係止部は、開状態から沈胴状態へ移行する際に、光軸方向において隣接するバリア羽根の一部を係止する。第２係止部は、沈胴状態から開状態へ移行する際に、光軸方向において隣接するバリア羽根の一部を係止する。
【発明の効果】
【００１０】
本開示に係るレンズ鏡筒によれば、レンズ鏡筒の大型化を回避しつつ、バリア羽根の脱落を防止することができる。
【図面の簡単な説明】
【００１１】
【図１】本開示の一実施形態に係るレンズ鏡筒の沈胴状態を示す断面図。
【図２】図１のレンズ鏡筒の撮影状態を示す断面図。
【図３】（ａ）は、図１のレンズ鏡筒のバリア機構によってバリア羽根が閉じた状態を示す斜視図。（ｂ）は、図１のレンズ鏡筒のバリア羽根が開いた状態を示す斜視図。
【図４】図１のレンズ鏡筒の分解斜視図。
【図５】図１のレンズ鏡筒の主要部分の構成を示す斜視図。
【図６】（ａ）は、図１のレンズ鏡筒のバリア機構によってバリア羽根が閉じた状態を示す断面図。（ｂ）は、図１のレンズ鏡筒のバリア羽根が開いた状態を示す断面図。
【図７】（ａ）および（ｂ）は、直進枠の構成を示す斜視図。
【図８】（ａ）は、複数のバリア羽根のうち、閉じた状態で最も内径側に配置されるバリア羽根を示す斜視図。（ｂ）は、閉じた状態で（ａ）のバリア羽根の径方向外側に隣接配置されるバリア羽根を示す斜視図。
【図９】（ａ）は、図８（ｂ）のバリア羽根の径方向外側に隣接配置されるバリア羽根を示す斜視図。（ｂ）は、複数のバリア羽根のうち、閉じた状態で（ａ）のバリア羽根の径方向外側であって、最も外径側に配置されるバリア羽根を示す斜視図。
【図１０】（ａ）は、沈胴状態（閉状態）において、バリア摺動枠の被当接部が直進枠の嵌合部に嵌合した状態から撮影状態（開状態）へ移行する際の様子を示す拡大図。（ｂ）は、撮影状態（開状態）において、直進枠とバリア摺動枠とが離間した状態を示す拡大図。
【図１１】図１０（ｂ）に示す直進枠とバリア摺動枠とが離間した状態（バリア摺動枠の被当接部が直進枠の嵌合部から外れた状態）へ移行することにより、バリア摺動枠が回転する様子を示す斜視図。
【図１２】（ａ）は、図１０（ｂ）のバリア羽根の開状態（撮影状態）への移行を示す図。（ｂ）は、（ａ）の部分拡大図。
【図１３】図１２（ａ）の開状態（撮影状態）への移行時に、最も内径側に配置されるバリア羽根が閉状態へ移行した状態を示す斜視図。
【図１４】（ａ）は、複数のバリア羽根が閉状態から開状態へ移行する流れを示す斜視図。（ｂ）は、複数のバリア羽根が閉状態へ移行した状態を示す斜視図。
【図１５】（ａ）は、撮影状態（開状態）において、直進枠とバリア摺動枠とが離間した状態から沈胴状態（閉状態）へ移行する際の様子を示す拡大図。（ｂ）は、バリア摺動枠の被当接部が直進枠の嵌合部に嵌合した状態を示す拡大図。
【図１６】図１５（ｂ）に示すバリア摺動枠の被当接部が直進枠の嵌合部に嵌合した状態へ移行することにより、バリア摺動枠が回転する様子を示す斜視図。
【図１７】撮影状態（開状態）から沈胴状態（閉状態）へ移行する際のバリア羽根の動きを示す斜視図。
【図１８】（ａ）および（ｂ）は、撮影状態（開状態）から沈胴状態（閉状態）へ移行する際の最内径側から１枚目と２枚目に配置された２枚のバリア羽根の動きを示す斜視図。
【図１９】（ａ）および（ｂ）は、バリア羽根が図１８（ａ）から図１８（ｂ）へ回動する際の係止関係を示す斜視図。
【図２０】（ａ）および（ｂ）は、撮影状態（開状態）から沈胴状態（閉状態）へ移行する際の内径側から２枚目と３枚目に配置された２枚のバリア羽根の動きを示す斜視図。
【図２１】（ａ）および（ｂ）は、バリア羽根が図２０（ａ）から図２０（ｂ）へ回動する際の係止関係を示す斜視図。
【図２２】（ａ）および（ｂ）は、撮影状態（開状態）から沈胴状態（閉状態）へ移行する際の内径側から３枚目と４枚目（最外径側）に配置された２枚のバリア羽根の動きを示す斜視図。
【図２３】（ａ）および（ｂ）は、バリア羽根が図２２（ａ）から図２２（ｂ）へ回動する際の係止関係を示す斜視図。
【図２４】バリア羽根によって開口部が覆われた閉状態（沈胴状態）を示す底面図。
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、出願人は、当業者が本開示を十分に理解するために添付図面および以下の説明を提供するのであって、これらによって特許請求の範囲に記載の主題を限定することを意図するものではない。
【００１４】
（実施形態１）
本開示の一実施形態に係るレンズ鏡筒１０について、図１〜図２４を用いて説明すれば以下の通りである。
【００１５】
本実施形態に係るレンズ鏡筒１０は、図１および図２に示すように、最も被写体側に配置されたレンズ（第１レンズ）Ｌ１が光軸方向に沿って被写体側へ移動した撮影状態と、レンズＬ１を含む複数のレンズＬ１〜Ｌ１３を互いに近接する位置まで沈胴させた沈胴状態とを切替可能であって、図１に示す沈胴状態においてレンズＬ１を複数のバリア羽根２３ａ〜２６ｂによって保護するバリア機構を備えている。
【００１６】
そして、レンズ鏡筒１０は、図１および図２に示すように、レンズＬ１を含む１群レンズ枠２９、回転軸３０、円筒部材２１、前カバー２２、複数のバリア羽根２３ａ〜２６ｂ、バリア摺動枠２８、固定枠２７、両面カム枠３１、直進枠３２、貫通カム枠３３、駆動筒３４、固定筒３５および撮像素子３６を備えている。
【００１７】
レンズＬ１〜Ｌ３は、最も被写体側に配置されたレンズＬ１を先頭にして、光軸方向に沿って配置されており、１群レンズ枠２９によって保持されている。
レンズＬ４〜Ｌ１３は、光軸方向において１群レンズ枠２９に保持されたレンズＬ１〜Ｌ３の被写体とは反対側（撮像素子３６側）に順に配置されており、各レンズ枠によって保持されている。
【００１８】
１群レンズ枠２９は、上述したように、レンズＬ１〜Ｌ３を保持している。そして、１群レンズ枠２９は、図１に示す沈胴状態では、他の筒状の部材（貫通カム枠３３、駆動筒３４および固定筒３５）の内周面側に配置された沈胴状態となる。一方、１群レンズ枠２９は、図２に示す撮影状態では、他の筒状の部材（貫通カム枠３３、駆動筒３４および固定筒３５）よりも被写体側へ突出した状態となる。
【００１９】
回転軸３０は、複数のバリア羽根２３ａ〜２６ａおよびバリア羽根２３ｂ〜２６ｂの回動中心として、１群レンズ枠２９の被写体側の端面に、光軸方向に沿って２本配置されている。より詳細には、２本の回転軸３０は、１群レンズ枠２９の開口に重ねて配置される固定枠２７の略長方形の開口部２７ｂの外周部分において互いに対向する位置（最も離間した位置）に、それぞれ設けられている。
【００２０】
複数のバリア羽根２３ａ〜２６ｂは、図１に示す沈胴状態においてレンズＬ１の表面を保護するために、回転軸３０を中心にして回動可能な状態で取り付けられている。そして、複数のバリア羽根２３ａ〜２６ｂは、回転軸３０を中心にして回動することで、開口部２７ｂを覆う閉状態（沈胴状態）（図６（ａ）参照）と、略長方形の開口部２７ｂの外周部において上下４枚ずつが重ねて配置される開状態（撮影状態）（図６（ｂ）参照）とを切り替える。
【００２１】
より詳細には、４枚のバリア羽根２３ａ〜２６ａを含む第１バリア羽根群と，４枚のバリア羽根２３ｂ〜２６ｂを含む第２バリア羽根群では、それぞれバリア羽根２３ａ〜２６ａおよびバリア羽根２３ｂ〜２６ｂが、光軸方向において上下４枚ずつ重ねて配置されている。そして、バリア羽根２３ａ〜２６ａは、共通の回転軸３０を中心にして回動する。一方、バリア羽根２３ｂ〜２６ｂは、バリア羽根２３ａ〜２６ａの回転軸３０と径方向における反対側に配置された共通の回転軸３０を中心にして回動する。
【００２２】
そして、上下４枚ずつ配置されたバリア羽根２３ａ〜２６ａ、２３ｂ〜２６ｂは、図１に示す沈胴状態では、図３（ａ）に示すように、互いの面の端部のみが重なった状態で開口部２７ｂを覆うまで回動される。一方、バリア羽根２３ａ〜２６ａ、２３ｂ〜２６ｂは、図２に示す撮影状態では、図３（ｂ）に示すように、互いの面全体が重なった状態で開口部２７ｂの外周部に格納される。これにより、図２に示す撮影状態では、開口部２１ａ，２７ｂ等から入射してくる光を、複数のレンズＬ１〜Ｌ１３を介して、撮像素子３６側へ取り込むことができる。
【００２３】
本実施形態のレンズ鏡筒１０では、開口部２１ａ，２７ｂ等を大きくした大口径の鏡筒であっても、開口２１ａ，２７ｂの半分ずつを覆うバリア羽根２３ａ〜２６ａとバリア羽根２３ｂ〜２６ｂとがそれぞれ複数枚に分割されて構成されている。
【００２４】
これにより、１群レンズ枠２９の端面におけるバリア羽根２３ａ〜２６ｂの収納面積を小さくすることができるため、サイズアップを伴うことなく大口径化を実現したレンズ鏡筒１０を得ることができる。
【００２５】
なお、バリア羽根２３ａ〜２６ｂの詳細な構成および開閉機構については、後段にて詳述する。
バリア摺動枠２８は、図４に示すように、１群レンズ枠２９の被写体側の端面と固定枠２７との間において、１群レンズ枠２９と固定枠２７とに対して回転可能な状態で配置されている。そして、バリア摺動枠２８は、撮影状態と沈胴状態とを切り替える際に所定の方向へ回転することで、後述する複数のバリア羽根２３ａ〜２６ｂの開閉動作を行う。
【００２６】
また、バリア摺動枠２８は、図５に示すように、略円環状の本体部２８ａと、略円形の開口部２８ｂと、被当接部２８ｃとを有している。
被当接部２８ｃは、略円環状の本体部２８ａにおいて１群レンズ枠２９側に向かって突出するように設けられており、図１に示す沈胴状態において、後述する直進枠３２の嵌合部３２ｂ内に嵌合する。これにより、バリア摺動枠２８を、光軸を中心にして回転させることができる。
【００２７】
固定枠２７は、図４に示すように、バリア摺動枠２８と複数のバリア羽根２３ａ〜２６ｂとの間に配置されている。そして、固定枠２７は、図５に示すように、略円環状の本体部２７ａと、略長方形の開口部２７ｂとを有している。
【００２８】
また、固定枠２７は、１群レンズ枠２９の被写体側の端面に固定されている。このため、撮影状態と沈胴状態とを切り替える際にバリア摺動枠２８が回転しても、固定枠２７は回転しない。よって、固定枠２７の略長方形の開口部２７ｂは、回転軸３０が設けられている１群レンズ枠２９に対して相対的に回転しない。
【００２９】
さらに、固定枠２７は、複数のバリア羽根２３ａ〜２６ｂのうち、最も被写体とは反対側（撮像素子３６側）に配置されたバリア羽根２６ａ，２６ｂに当接するように配置されている。これにより、固定枠２７は、バリア羽根２６ａ，２６ｂを撮像素子３６側から支持することができる。
【００３０】
直進枠３２は、図１および図２に示すように、両面カム枠３１の内周面側において光軸方向において前後に移動するとともに、図１に示す沈胴状態では、１群レンズ枠２９の内周面側に配置される。そして、直進枠３２は、図７（ａ）および図７（ｂ）に示すように、円筒状の本体部３２ａと、円筒状の本体部３２ａの一部を略三角形に切り欠くように形成された嵌合部３２ｂとを有している。
【００３１】
嵌合部３２ｂは、図１に示す沈胴状態において、バリア摺動枠２８の略三角形の被当接部２８ｃが嵌合する。
なお、沈胴状態において、直進枠３２の嵌合部３２ｂ内に、バリア摺動枠２８の被当接部２８ｃが嵌合して、バリア羽根２３ａ〜２６ｂを開閉駆動する機構については、後段にて詳述する。
【００３２】
＜バリア羽根２３ａ〜２６ｂの構成＞
本実施形態のレンズ鏡筒１０では、図６（ａ）に示す閉状態と、図６（ｂ）に示す開状態とを切り替えるために、バリア羽根２３ａ〜２６ｂを開閉駆動する。
【００３３】
バリア羽根２３ａ〜２６ａとバリア羽根２３ｂ〜２６ｂとは、１群レンズ枠２９の被写体側の端面における離間した位置に配置された２つの回転軸３０を中心にしてそれぞれ回動することで、開口部２７ｂ等を開けたり閉じたりする開閉動作を行う。また、全てのバリア羽根２３ａ〜２３ｂは、金属製の略フラットな板状部材として形成されている。
【００３４】
これにより、複数枚のバリア羽根が重ねて配置され、段差を有する板状部材として形成されたバリア羽根を含む従来の構成と比較して、光軸方向におけるサイズを小さくすることができる。
【００３５】
ここで、開閉されるそれぞれのバリア羽根２３ａ〜２６ｂの構成について、説明すれば以下の通りである。
バリア羽根２６ａ，２６ｂは、図６（ａ）に示す閉状態において最も内径側（中心寄り）に配置される羽根状の部材であって、図８（ａ）に示すように、板状部（平面部）２６ａａ，２６ｂａと、板状部に交差する平面からなる側面部（厚み部分）とを有している。
【００３６】
板状部２６ａａ，２６ｂａは、図８（ａ）に示すように、軸穴ａ４と、係止部（第２係止部）ｂ４と、係止部（第１係止部）ｃ４とを有している。
軸穴ａ４は、バリア羽根２６ａ，２６ｂの根元部分に形成された貫通穴であって、１群レンズ枠２９の端面に設けられた回転軸３０が挿入される。
【００３７】
係止部ｂ４は、バリア羽根２３ａ〜２６ｂの開動作時に、隣接するバリア羽根２５ａ，２５ｂの一部（係止部ｂ３）に接触し、バリア羽根２５ａ，２５ｂを引き連れて回動させる。また、係止部ｂ４は、バリア羽根２６ａ，２６ｂにおけるレンズＬ１の光軸から離間した側の側面の近傍に、略光軸方向に突出するように配置されている。さらに、係止部ｂ４は、バリア羽根２６ａ，２６ｂの軸穴ａ４（回転軸３０）から離間した位置に配置されている。
【００３８】
係止部ｃ４は、軸穴ａ４の近傍に配置されており、バリア羽根２３ａ〜２６ｂの閉動作時に、隣接するバリア羽根２５ａ，２５ｂの一部に接触し、バリア羽根２５ａ，２５ｂを引き連れて回動させる。また、係止部ｃ４は、バリア羽根２６ａ，２６ｂにおけるレンズＬ１の光軸に近い側の側面の近傍に、略光軸方向に突出するように配置されている。
【００３９】
バリア羽根２５ａ，２５ｂは、図６（ａ）に示す閉状態において、最も内径側（中心寄り）に配置されるバリア羽根２６ａ，２６ｂの外径側に配置される羽根状の部材であって、図８（ｂ）に示すように、板状部（平面部）２５ａａ，２５ｂａと、板状部に交差する平面からなる側面部（厚み部分）とを有している。
【００４０】
板状部２５ａａ，２５ｂａは、図８（ｂ）に示すように、軸穴ａ３と、係止部（第２係止部）ｂ３と、係止部（第１係止部）ｃ３とを有している。
軸穴ａ３は、バリア羽根２５ａ，２５ｂの根元部分に形成された貫通穴であって、１群レンズ枠２９の端面に設けられた回転軸３０が挿入される。
【００４１】
係止部ｂ３は、バリア羽根２３ａ〜２６ｂの開動作時に、隣接するバリア羽根２６ａ，２６ｂの一部（係止部ｂ４）に接触し、バリア羽根２６ａ，２６ｂとともに所定の開位置まで回動する。また、係止部ｂ３は、バリア羽根２５ａ，２５ｂにおけるレンズＬ１の光軸から離間した側の側面の近傍に、略光軸方向に突出するように配置されている。さらに、係止部ｂ３は、バリア羽根２５ａ，２５ｂの軸穴ａ３（回転軸３０）から離間した位置に配置されている。
【００４２】
係止部ｃ３は、軸穴ａ３の近傍に配置されており、バリア羽根２３ａ〜２６ｂの閉動作時に、隣接するバリア羽根２６ａ，２６ｂの一部に接触し、バリア羽根２６ａ，２６ｂとともに所定の閉位置まで回動する。また、係止部ｃ３は、バリア羽根２５ａ，２５ｂにおけるレンズＬ１の光軸に近い側の側面の近傍に、略光軸方向に突出するように配置されている。
【００４３】
バリア羽根２４ａ，２４ｂは、図６（ａ）に示す閉状態において、バリア羽根２５ａ，２５ｂの外径側に配置される羽根状の部材であって、図９（ａ）に示すように、板状部（平面部）２４ａａ，２４ｂａと、板状部に交差する平面からなる側面部（厚み部分）とを有している。
【００４４】
板状部２４ａａ，２４ｂａは、図９（ａ）に示すように、軸穴ａ２と、係止部（第２係止部）ｂ２と、係止部（第１係止部）ｃ２とを有している。
軸穴ａ２は、バリア羽根２４ａ，２４ｂの根元部分に形成された貫通穴であって、１群レンズ枠２９の端面に設けられた回転軸３０が挿入される。
【００４５】
係止部ｂ２は、バリア羽根２３ａ〜２６ｂの開動作時に、隣接するバリア羽根２５ａ，２５ｂの一部に接触し、バリア羽根２５ａ，２５ｂとともに所定の開位置まで回動する。また、係止部ｂ２は、バリア羽根２４ａ，２４ｂにおけるレンズＬ１の光軸から離間した側の側面の近傍に、略光軸方向に突出するように配置されている。さらに、係止部ｂ２は、バリア羽根２４ａ，２４ｂの軸穴ａ２（回転軸３０）から離間した位置に配置されている。
【００４６】
係止部ｃ２は、軸穴ａ２の近傍に配置されており、バリア羽根２３ａ〜２６ｂの閉動作時に、隣接するバリア羽根２５ａ，２５ｂの一部に接触し、バリア羽根２５ａ，２５ｂとともに所定の閉位置まで回動する。また、係止部ｃ２は、バリア羽根２４ａ，２４ｂにおけるレンズＬ１の光軸に近い側の側面の近傍に、略光軸方向に突出するように配置されている。
【００４７】
バリア羽根２３ａ，２３ｂは、図６（ａ）に示す閉状態において、最も外径側に配置される羽根状の部材であって、図９（ｂ）に示すように、板状部（平面部）２３ａａ，２３ｂａと、板状部に交差する平面からなる側面部（厚み部分）とを有している。
【００４８】
板状部２３ａａ，２３ｂａは、図９（ｂ）に示すように、軸穴ａ１と、係止部（第２係止部）ｂ１と、係止部（第１係止部）ｃ１とを有している。
軸穴ａ１は、バリア羽根２３ａ，２３ｂの根元部分に形成された貫通穴であって、１群レンズ枠２９の端面に設けられた回転軸３０が挿入される。
【００４９】
係止部ｂ１は、バリア羽根２３ａ〜２６ｂの開動作時に、隣接するバリア羽根２４ａ，２４ｂの一部に接触し、バリア羽根２４ａ，２４ｂとともに所定の開位置まで回動する。また、係止部ｂ１は、バリア羽根２３ａ，２３ｂにおけるレンズＬ１の光軸から離間した側の側面の近傍に、略光軸方向に突出するように配置されている。さらに、係止部ｂ１は、バリア羽根２３ａ，２３ｂの軸穴ａ１（回転軸３０）から離間した位置に配置されている。
【００５０】
係止部ｃ１は、軸穴ａ１とは反対側の先端付近に配置されており、バリア羽根２３ａ〜２６ｂの閉動作時に、隣接するバリア羽根２４ａ，２４ｂの一部（係止部ｃ２）に接触し、バリア羽根２４ａ，２４ｂとともに所定の閉位置まで回動する。また、係止部ｃ１は、バリア羽根２３ａ，２３ｂにおけるレンズＬ１の光軸に近い側の側面の近傍に、略光軸方向に突出するように配置されている。
【００５１】
本実施形態のレンズ鏡筒１０では、以上のように、第１バリア羽根群側の４枚のバリア羽根２３ａ〜２６ａと第２バリア羽根群側の４枚のバリア羽根２３ｂ〜２６ｂとを一組として、４枚ずつバリア羽根２３ａ〜２６ａとバリア羽根２３ｂ〜２６ｂとを重ねて配置している。そして、バリア羽根２３ａ〜２６ａ，２３ｂ〜２６ｂ開閉時には、隣接するバリア羽根２３ａ〜２６ａ，２３ｂ〜２６ｂがその一部が互いに接触しながら回転軸３０を中心にして回動することで、開閉動作が行われる。
【００５２】
＜バリア羽根２３ａ〜２６ｂの開動作＞
本実施形態のレンズ鏡筒１０では、以上のように、４枚のバリア羽根２３ａ〜２６ａと４枚のバリア羽根２３ｂ〜２６ｂとを光軸を中心に点対称に配置して開閉することで、図１に示す沈胴状態において、最も被写体側に配置されたレンズＬ１の表面を保護する。
【００５３】
ここで、沈胴状態から撮影状態へ移行する際に、バリア羽根２３ａ〜２６ｂを開く動作について、具体的に説明すれば以下の通りである。
すなわち、図１に示す沈胴状態では、直進枠３２とバリア摺動枠２８とが近接する位置にあるため、図１０（ａ）に示すように、バリア摺動枠２８の被当接部２８ｃが直進枠３２の嵌合部３２ｂ内に入り込んだ状態となる。
【００５４】
そして、図２に示す撮影状態に移行する際には、図１０（ｂ）に示すように、バリア摺動枠２８が直進枠３２に対して光軸方向において被写体側へ移動する。
このとき、バリア摺動枠２８は、図１１に示すように、円筒状の１群レンズ枠２９の被写体側の端面に配置されたバネ３０ｃの付勢力によって、光軸を中心とする周方向（時計回り）に回転する。
【００５５】
バネ３０ｃの両端は、１群レンズ枠２９の端面と、バリア摺動枠２８の一部とに接続されており、１群レンズ枠２９に対して回転可能な状態で設けられたバリア摺動枠２８を、時計回りに付勢する。
【００５６】
なお、バリア摺動枠２８を回転方向に付勢するバネ３０ｃの付勢力は、後述するバリア羽根２３ａ〜２６ａおよびバリア羽根２３ｂ〜２６ｂを閉じる方向に付勢するバネ３０ａ，３０ｂの付勢力よりも大きい。
【００５７】
そして、図１に示す沈胴状態では、バネ３０ｃは、直進枠３２の嵌合部３２ｂ内に、バリア摺動枠２８の被当接部２８ｃが嵌合した状態となることで、伸ばされた状態で保持される。このため、図２に示す撮影状態への移行時には、バネ３０ｃは、直進枠３２の嵌合部３２ｂとバリア摺動枠２８の被当接部２８ｃとの嵌合状態が解除されると、図１１に示すように、付勢力によってバリア摺動枠２８を時計回りに回転させる。
【００５８】
ここで、図１１に示す閉状態では、バリア羽根２３ａ〜２６ｂは、光軸方向に沿って隣接する羽根部材同士の一部が重なるように配置されており、略長方形の開口部２７ｂの全体を覆っている。なお、図１１では、バリア羽根２３ｂ〜２５ｂの図示を省略しているが、バリア羽根２３ｂ〜２６ｂ側についても同様に配置されているものとする。
【００５９】
次に、バネ３０ｃの付勢力によってバリア摺動枠２８が時計回りに回転すると、図１２（ａ）に示すように、バネ３０ａの付勢力によって閉状態のまま保持されていたバリア羽根２６ａが、開状態へ移行する。
【００６０】
なお、図１２（ａ）では、説明の便宜上、バリア摺動枠２８の回転によって直接駆動される最も内径側のバリア羽根２６ａのみを示しているが、他方のバリア羽根２６ｂについても同様に、バネ３０ｂによって付勢力を受けた状態から駆動されるものとする。
【００６１】
すなわち、バリア羽根２６ａは、バネ３０ａの付勢力によって所定の閉状態位置に保持された状態から、バリア摺動枠２８が時計回りに回転することで、図１２（ｂ）に示すように、その一部（被当接部ｄ１）が、バリア摺動枠２８の一部（当接部ｄ２）と当接して持ち上げられる。これにより、４枚のバリア羽根２３ａ〜２６ａのうち、閉状態において最も内径側に配置されたバリア羽根２６ａを、回転軸３０を中心にして外周側（開状態）へ回動させることができる。
【００６２】
そして、バリア羽根２６ａは、図１３に示すように、バリア摺動枠２８の時計回りの回転によって回動し、１群レンズ枠２９の端面から光軸方向へ突出したＡ部分において当接して保持される。
【００６３】
このとき、バリア羽根２６ａに重ねて配置されたバリア羽根２３ａ〜２５ａは、図１４（ａ）に示すように、最も内径側に配置されたバリア羽根２６ａの回動に伴って、同様に、回転軸３０を中心にして同じ方向に回動することで、閉状態から開状態へ移行する。
【００６４】
具体的には、図１４（ａ）に示す閉状態から、バリア羽根２６ａが図中一点鎖線矢印の方向へ回動されると、バリア羽根２６ａの端部（係止部ｂ４）が、隣接するバリア羽根２５ａの係止部ｂ３、その内側に位置するバリア羽根２４ａの係止部ｂ２、およびさらに内側に位置するバリア羽根２３ａの係止部ｂ１に引っ掛かって、ともに回動する。これにより、バリア羽根２６ａの回動によって、隣接する３枚のバリア羽根２３ａ，２４ａ，２５ａも同じ方向へ回動させることができる。
【００６５】
この結果、４枚のバリア羽根２３ａ〜２６ａは、図１４（ｂ）に示すように、ほぼ全体が重なり合った状態となり、１群レンズ枠２９の外周部分に退避することで、開口部２７ｂを開状態とすることができる。
なお、バリア羽根２３ｂ〜２６ｂについても同様に回動して、１群レンズ枠２９の外周部分に退避することで、閉状態から開状態へ移行するものとする。
【００６６】
＜バリア羽根２３ａ〜２６ｂの閉動作＞
次に、図２に示す撮影状態から図１に示す沈胴状態へ移行する際に、バリア羽根２３ａ〜２６ｂを閉じる動作について、具体的に説明すれば以下の通りである。
【００６７】
すなわち、図２に示す撮影状態では、直進枠３２とバリア摺動枠２８とが光軸方向において離間した位置にあるため、図１５（ａ）に示すように、バリア摺動枠２８の被当接部２８ｃが直進枠３２の嵌合部３２ｂ内から出た状態となる。
【００６８】
このとき、バリア摺動枠２８は、直進枠３２と接触していないため、バネ３０ｃによって時計回りに付勢された状態となる。
そして、図１に示す沈胴状態に移行する際には、図１５（ｂ）に示すように、バリア摺動枠２８が直進枠３２に対して光軸方向において近接する位置まで移動する。
【００６９】
このとき、バリア摺動枠２８は、図１５（ｂ）に示すように、被当接部２８ｃが直進枠３２の嵌合部３２ｂ内に入り込んだ状態となり、図１６の破線の矢印に示すように、光軸を中心とする周方向（反時計回り）に回転する。
【００７０】
なお、被当接部２８ｃが光軸方向に移動して直進枠３２の嵌合部３２ｂ内へ挿入される際には、テーパ部２８ｃａに沿って被当接部２８ｃが挿入されることで、バリア摺動枠２８を、光軸を中心に反時計回りに回転させることができる。
【００７１】
ここで、バリア摺動枠２８が反時計回りに回転すると、図１２（ｂ）においてバリア羽根２６ａの被当接部ｄ１を持ち上げていたバリア摺動枠２８の当接部ｄ２が退避位置へ戻るため、バリア羽根２６ａはバネ３０ａの付勢力によって開状態に向かって付勢される。
【００７２】
これにより、図１７に示すように、バリア羽根２６ａは、バネ３０ａが縮む方向への付勢力によって内径側に向かって閉まる方向に回動する。
このとき、バリア羽根２６ａに重ねて配置されたバリア羽根２３ａ〜２５ａは、図１８（ａ）および図１８（ｂ）に示すように、最も内径側に配置されたバリア羽根２６ａの回動に伴って、同様に、回転軸３０を中心にして同じ方向に回動することで、開状態から閉状態へ移行する。
【００７３】
具体的には、図１８（ａ）に示す開状態から、図１８（ｂ）に示すように、バリア羽根２６ａが図中一点鎖線矢印の方向へ回動されると、図１９（ａ）および図１９（ｂ）に示すように、バリア羽根２６ａの端部（係止部ｃ４）が、隣接するバリア羽根２５ａの係止部ｃ３に引っ掛かって、ともに回動する。これにより、バリア羽根２６ａの回動によって、隣接するバリア羽根２５ａも同じ方向（閉じる方向）へ回動させることができる。
【００７４】
なお、図１９（ａ）および図１９（ｂ）は、図１８（ａ）および図１８（ｂ）の反対側の面から見た拡大図である。
そして、さらにバリア羽根２６ａが回動すると、図２０（ａ）および図２０（ｂ）に示すように、バリア羽根２６ａの回動に伴ってバリア羽根２５ａも回動する。そして、図２１（ａ）および図２１（ｂ）に示すように、バリア羽根２５ａの根元付近の端部が、隣接するバリア羽根２４ａの根元付近に設けられた係止部ｃ２に引っ掛かって、ともに回動する。これにより、バリア羽根２６ａの回動によって、隣接するバリア羽根２５ａおよびこれに隣接するバリア羽根２４ａも同じ方向（閉じる方向）へ回動させることができる。
【００７５】
なお、図２１（ａ）および図２１（ｂ）は、図２０（ａ）および図２０（ｂ）の反対側の面から見た拡大図である。
さらにバリア羽根２６ａが回動すると、図２２（ａ）および図２２（ｂ）に示すように、バリア羽根２６ａの回動に伴ってバリア羽根２５ａおよびバリア羽根２４ａも回動する。そして、図２３（ａ）および図２３（ｂ）に示すように、バリア羽根２４ａの先端付近の端部が、隣接するバリア羽根２３ａの先端付近に設けられた係止部ｃ１に引っ掛かって、ともに回動する。これにより、バリア羽根２６ａの回動によって、隣接するバリア羽根２５ａ，２４ａ，２３ａを、同じ方向（閉じる方向）へ回動させることができる。
【００７６】
なお、図２３（ａ）および図２３（ｂ）は、図２２（ａ）および図２２（ｂ）の反対側の面から見た拡大図である。
また、バリア羽根２３ｂ〜２６ｂについても同様に回動して、１群レンズ枠２９の外周部分から内径側へ移動することで、開状態から閉状態へ移行するものとする。
【００７７】
これにより、固定枠２７の略長方形の開口部２７ｂは、１群レンズ枠２９に対して相対的に回転することなく、バリア摺動枠２８だけを回転させることで、図２４に示すように、上下４枚ずつ計８枚のバリア羽根２３ａ〜２６ａ、２３ｂ〜２６ｂを用いて、開口部２７ｂを覆うことができる。
【００７８】
本実施形態のレンズ鏡筒１０は、以上の構成を備えており、複数のバリア羽根２３ａ〜２６ｂを開閉駆動する際に、１群レンズ枠２９に固定配置された固定枠２７と１群レンズ枠２９の被写体側の端面との間において、バリア摺動枠２８を１群レンズ枠２９に対して相対回転させる。
【００７９】
ここで、固定枠２７は、図６（ａ）および図６（ｂ）に示すように、４枚ずつ重ねて配置されたバリア羽根２３ａ〜２６ａおよびバリア羽根２３ｂ〜２６ｂの撮像素子３６側に配置されており、最も撮像素子３６側に配置されたバリア羽根２６ａ，２６ｂの撮像素子３６側の面を被写体とは反対側から支持している。
【００８０】
そして、本実施形態では、複数のバリア羽根２３ａ〜２６ｂによって開閉される開口部２７ｂが、１群レンズ枠２９に対して固定配置された固定枠２７に設けられている。すなわち、開口部２７ｂは、複数のバリア羽根２３ａ〜２６ｂを開閉駆動する際に１群レンズ枠２９に対して回転するバリア摺動枠２８ではなく、回転しない固定枠２７に設けられている。
【００８１】
換言すれば、複数のバリア羽根２３ａ〜２６ｂによって開閉される開口部２７ｂを含む部材（固定枠２７）を、バリア摺動枠２８とは別の部材として設けている。
これにより、複数のバリア羽根２３ａ〜２６ｂを開閉駆動する際にバリア摺動枠２８が回転した場合でも、開口部２７ｂを有する固定枠２７が、回転軸３０が設けられた１群レンズ枠２９に対して回転することはない。よって、回転軸３０から開口部２７ｂの最大長は変化することなく、一定に保たれる。
【００８２】
この結果、バリア羽根２３ａ〜２６ｂの開閉動作において、開口部２７ｂが回転することにより、バリア羽根２３ａ〜２６ｂの一部が脱落してしまうことを防止することができる。
【００８３】
すなわち、本実施形態のレンズ鏡筒１０によれば、近年のレンズ鏡筒の大口径化に伴ってバリア羽根２３ａ〜２６ｂの枚数を増やした構成において、バリア機構によって覆われる開口部に対するレンズ鏡筒１０の外径を小さくすることができるとともに、閉状態においてバリア羽根２３ａ〜２６ｂがバリア摺動枠２８から脱落することを防止することができる。
【００８４】
また、８枚のバリア羽根２３ａ〜２６ｂは、全てフラットな板状の部材であるため、光軸方向におけるレンズ鏡筒１０のサイズアップを回避して、レンズ鏡筒１０の小型化を図ることができる。
【００８５】
［他の実施形態］
以上、本開示の一実施形態について説明したが、本開示は上記実施形態に限定されるものではなく、開示の要旨を逸脱しない範囲で種々の変更が可能である。
【００８６】
（Ａ）
上記実施形態では、バリア羽根２３ａ〜２６ａ，２３ｂ〜２６ｂの開閉駆動を、直進枠３２とバリア摺動枠２８との位置関係の変化を利用して行う例を挙げて説明した。しかし、本開示はこれに限定されるものではない。
例えば、バリア羽根２３ａ〜２６ａ，２３ｂ〜２６ｂの開閉駆動を、直進枠以外の部材を用いて行ってもよい。
【００８７】
（Ｂ）
上記実施形態では、複数のバリア羽根２３ａ〜２６ｂの回動中心となる回転軸３０が、固定枠２７の被写体側の端面に立設された例を挙げて説明した。しかし、本開示はこれに限定されるものではない。
例えば、複数のバリア羽根の回転軸が、１群レンズ枠の被写体側の端面に固定配置される固定枠の被写体とは反対側の面に設けられていてもよい。
【００８８】
（Ｃ）
上記実施形態では、複数のバリア羽根２３ａ〜２６ａ，２３ｂ〜２６ｂの４枚ずつが一対になって設けられている構成を例として挙げて説明した。しかし、本開示はこれに限定されるものではない。
例えば、３枚ずつのバリア羽根が一対になった構成であってもよいし、５枚以上のバリア羽根が一対になった構成であってもよい。
【００８９】
（Ｄ）
上記実施形態では、沈胴状態において複数のバリア羽根２３ａ〜２６ｂによって覆われる固定枠２７の開口部２７ｂの形状が略四角形である構成を例として挙げて説明した。しかし、本開示はこれに限定されるものではない。
例えば、固定枠の開口部の形状は、略四角形に限らず、楕円形、８角形等の矩形であってもよい。
【００９０】
（Ｅ）
上記実施形態では、複数のバリア羽根２３ａ〜２６ｂが全て金属によって構成された例を挙げて説明した。しかし、本開示はこれに限定されるものではない。
例えば、複数のバリア羽根の素材としては、金属に限らず、樹脂等の他の素材であってもよい。
なお、複数のバリア羽根のうち、閉状態において最も内側に配置されるバリア羽根は、外部から触れやすい位置に配置されるため、強度面を考慮すれば、最も内側に配置されるバリア羽根のみを金属製とし、他のバリア羽根を樹脂製としてもよい。
【００９１】
（Ｆ）
上記実施形態では、本開示に係るレンズ鏡筒が、カメラのような撮像装置に搭載されたレンズ鏡筒に適用された例を挙げて説明した。しかし、本開示はこれに限定されるものではない。
例えば、カメラ本体に対して着脱可能な交換レンズ、動画撮影用の撮像装置、プロジェクタ等の映像投写装置等、他の装置のレンズ鏡筒として用いられてもよい。
【産業上の利用可能性】
【００９２】
本開示のレンズ鏡筒は、レンズ鏡筒の大型化を回避しつつ、バリア羽根の脱落を防止することができるという効果を奏することから、カメラ等の撮像装置、動画撮影用の撮像装置、映像投写装置等に対して広く適用可能である。
【符号の説明】
【００９３】
１０      レンズ鏡筒
２１      円筒部材
２１ａ    開口部
２２      前カバー
２３ａ，２３ｂ  バリア羽根
２３ａａ，２３ｂａ  板状部
２４ａ，２４ｂ  バリア羽根
２４ａａ，２４ｂａ  板状部
２５ａ，２５ｂ  バリア羽根
２５ａａ，２５ｂａ  板状部
２６ａ，２６ｂ  バリア羽根
２６ａａ，２６ｂａ  板状部
２７      固定枠
２７ａ    本体部
２７ｂ    開口部
２８      バリア摺動枠
２８ａ    本体部
２８ｂ    開口部
２８ｃ    当接部
２８ｃａ  テーパ部
２９      １群レンズ枠（第１レンズ枠）
３０ａ〜３０ｃ  バネ
３０      回転軸
３１      両面カム枠
３２      直進枠
３２ａ    本体部
３２ｂ    嵌合部
３３      貫通カム筒
３４      駆動筒
３５      固定筒
３６      撮像素子
ａ１〜ａ４  軸穴
ｂ１〜ｂ４  係止部
ｃ１〜ｃ４  係止部
ｄ１      被当接部
ｄ２      当接部
Ｌ１      レンズ（第１レンズ）
Ｌ２〜Ｌ１３  レンズ
【図１】
2019148792.tif 000003
【図２】
2019148792.tif 000004
【図３】
2019148792.tif 000005
【図４】
2019148792.tif 000006
【図５】
2019148792.tif 000007
【図６】
2019148792.tif 000008
【図７】
2019148792.tif 000009
【図８】
2019148792.tif 000010
【図９】
2019148792.tif 000011
【図１０】
2019148792.tif 000012
【図１１】
2019148792.tif 000013
【図１２】
2019148792.tif 000014
【図１３】
2019148792.tif 000015
【図１４】
2019148792.tif 000016
【図１５】
2019148792.tif 000017
【図１６】
2019148792.tif 000018
【図１７】
2019148792.tif 000019
【図１８】
2019148792.tif 000020
【図１９】
2019148792.tif 000021
【図２０】
2019148792.tif 000022
【図２１】
2019148792.tif 000023
【図２２】
2019148792.tif 000024
【図２３】
2019148792.tif 000025
【図２４】
2019148792.tif 000026